(57)【要約】【課題】放熱フィンの放熱効果を高めた放熱機構を提供する。【解決手段】  本発明は放熱フィンの放熱効果を高めた放熱機構であり、少なくとも放熱ファン２１と放熱器２２とからなり、前記放熱器２２には複数の放熱フィン２２２が設けられており、フィン２２２とフィン２２２の間には流道２２３が形成されており、流動２２３内には高熱伝導部材２３が設けられており、放熱ファン２１の生成する空気流が放熱器２２の流道２２３間を通過し、高熱伝導部材２３によって気流の熱対流が増加することによって放熱フィン２２２は素早く放熱を行うことができ、放熱器２２の放熱効率を高めることができる。【選択図】  図２
2006147682.tif 000002
【特許請求の範囲】
【請求項１】
放熱フィンと放熱器とからなる放熱フィンの放熱効果を高めた放熱機構において、
前記放熱フィンは空気流を生成し、放熱器に熱交換を行わせ、前記放熱器は放熱フィンが設けられており、フィンとフィンとの間には空気流が流れる流道が形成されており、
前記流道間には少なくとも一つの高熱伝導部材が設けられており、前記高熱伝導部材によって、流道における熱対流を増加させることができ、それによって放熱フィンの放熱効果を増強させることができることを特徴とする放熱フィンの放熱効果を高めた放熱機構。
【請求項２】
前記高熱伝導部材はファンが生成する空気流によって動かされることを特徴とする請求項１記載の放熱フィンの放熱効果を高めた放熱機構。
【請求項３】
前記高熱伝導部材は動力部材を有することができ、自ら作動することを特徴とする請求項１記載の放熱フィンの放熱効果を高めた放熱機構。
【請求項４】
前記高熱伝導部材は放熱フィン間の全ての流道間に設置することができることを特徴とする請求項１記載の放熱フィンの放熱効果を高めた放熱機構。
【請求項５】
前記高熱伝導部材は放熱フィン間の任意の流道間に設置されていることを特徴とする請求項１記載の放熱フィンの放熱効果を高めた放熱機構。
【請求項６】
前記放熱フィンには枢結部が形成されており、高熱伝導部材が枢結されていることを特徴とする請求項１記載の放熱フィンの放熱効果を高めた放熱機構。
【請求項７】
前記高熱伝導部材は高熱伝導材料によって構成されていることを特徴とする請求項１記載の放熱フィンの放熱効果を高めた放熱機構。
【発明の詳細な説明】
【技術分野】
【０００１】
本発明は放熱機構に係り、特に発熱部材の放熱を行う放熱フィンを有する放熱フィンの放熱効果を高めた放熱機構に関わる。
【背景技術】
【０００２】
現在電子製品はより軽く、薄く、短く、小さくという方向と、より高性能、多機能という方向の二つの方向に発展しており、部材の発熱量の増加と体積の縮小により、発熱密度も高まっており、有効的な放熱が行われない場合、電子製品の性能と信頼性は影響を受け、ついには製品寿命が短くなってしまう可能性も発生してしまう。
【０００３】
デスクトップ型コンピュータのＣＰＵについて言えば、アルミや銅製の放熱器に放熱ファンが結合した放熱モジュールは必需品であり、前記放熱器は熱を伝導させ、前記放熱ファンは熱対流を生成して熱交換を行い、放熱モジュールは放熱効果を発揮するものであるが、発熱量の増加に従い、放熱フィンの回転速度を上げて更に大きな空気流を生成し、強制対流効果を高める方法以外に、現在の放熱モジュールはすでに求められる放熱を達成できなくなりつつあり、放熱ファンの回転速度を上げる場合、ファンの体積の制限を受けてモーターの駆動に制限が生じてしまい、しかも回転速度を上げると騒音が増加してしまい、従って放熱器の開発において、現在の各電子製品の性能向上に伴って生じる放熱問題を解決することは必要なことである。
【０００４】
図１は公知構造の放熱器の構造であり、図に示す放熱機構は放熱器と一組の放熱器上に設置されている放熱ファンとによって構成されており、前記放熱器は発熱部材上に固定されており、前記放熱器は底座を有しており、その上には複数の放熱フィンが設けられており、放熱フィン間には流道が形成されており、前記放熱ファンはファンケースを有しており、前記ファンケースは入口、出口を有しており、ファンケース内には複数のファン羽根が枢設されており、ファン羽根が回転した時、気流が入口から出口の放熱器に向かって動き、気流は更に放熱器の流道を流れた後、外部に流出し、放熱ファンが生成した気流が発熱部材から放熱フィンに伝わった熱を取り除き、放熱効果を発揮するというものである。
【０００５】
しかし、この種の方式は現在の高発熱量の電子製品への使用においては問題があり、図１に示すように、放熱器が放熱部材上に貼合しており、放熱ファンが放熱器上に設置されており、熱伝導は物質が無運動の状態で熱量が伝えられ、その伝導方式は高温部から低音部への伝導であり、熱量の伝導は距離の増加に伴い外部に向かっての対流の散失によって低下し、つまり発熱部材から近ければ近いほど温度が高く、そのために放熱器の底座と底座上の複数の放熱フィンの根部の温度が最も高く、放熱フィンの頂端の温度が最も低く、放熱ファンが生成する空気流の速度は距離の増加に伴い低下するので、出口の風力が比較的大きく、流道末端の空気流の速度が最も弱く、図１における局部拡大図に示すように放熱フィンの根部の温度が高く、放熱フィンの頂部の温度が低く、温度勾配は根部から頂部に向かって減少しており、放熱ファンが動かした空気流が流道の末端に到達した時、流道間の温度境界層は流道の底部が比較的厚く、上に向かって薄くなり、熱対流の効果を低下させ、冷たい空気流が運び出す熱量は環境の制限を受け、有効的に放熱機構の放熱効果を発揮できず、発熱部材の運転寿命を縮小させることにもなる。
【０００６】
本発明の発明者は上述の公知構造の各欠点を鑑み、この業界に従事して得た長年に渡る経験と弛まぬ研究と改良によりついに本発明の放熱機構を発明した。
【発明の開示】
【発明が解決しようとする課題】
【０００７】
本発明の目的は、放熱器の放熱フィン間の流道に高熱伝導部材を設けて流動内の熱対流を増加させ、放熱器の放熱効果を高めることができる放熱フィンの放熱効果を高めた放熱機構を提供することである。
【０００８】
本発明のもう一つの目的は、放熱器の放熱フィン間の流道に高熱伝導材料の高熱伝導部材を設けて流動内の熱対流を増加させ放熱器の放熱効果を高めることができる放熱フィンの放熱効果を高めた放熱機構を提供することである。
【課題を解決するための手段】
【０００９】
前記課題を解決させるために、  
請求項１の発明は、放熱フィンと放熱器とからなる放熱フィンの放熱効果を高めた放熱機構において、
前記放熱フィンは空気流を生成し、放熱器に熱交換を行わせ、前記放熱器は放熱フィンが設けられており、フィンとフィンとの間には空気流が流れる流道が形成されており、
前記流道間には少なくとも一つの高熱伝導部材が設けられており、前記高熱伝導部材によって、流道における熱対流を増加させることができ、それによって放熱フィンの放熱効果を増強させることができることを特徴とする放熱フィンの放熱効果を高めた放熱機構である。
【００１０】
請求項２の発明は、前記高熱伝導部材はファンが生成する空気流によって動かされることを特徴とする請求項１記載の放熱フィンの放熱効果を高めた放熱機構である。
【００１１】
請求項３の発明は、前記高熱伝導部材は動力部材を有することができ、自ら作動することを特徴とする請求項１記載の放熱フィンの放熱効果を高めた放熱機構である。
【００１２】
請求項４の発明は、前記高熱伝導部材は放熱フィン間の全ての流道間に設置することができることを特徴とする請求項１記載の放熱フィンの放熱効果を高めた放熱機構である。
【００１３】
請求項５の発明は、前記高熱伝導部材は放熱フィン間の任意の流道間に設置されていることを特徴とする請求項１記載の放熱フィンの放熱効果を高めた放熱機構である。
【００１４】
請求項６の発明は、前記放熱フィンには枢結部が形成されており、高熱伝導部材が枢結されていることを特徴とする請求項１記載の放熱フィンの放熱効果を高めた放熱機構である。
【００１５】
請求項７の発明は、前記高熱伝導部材は高熱伝導率材料によって構成されていることを特徴とする請求項１記載の放熱フィンの放熱効果を高めた放熱機構である。
【発明の効果】
【００１６】
放熱器の放熱フィン間の流道に高熱伝導部材を設けて流動内の熱対流を増加させることによって放熱器の放熱効果を高めることができた。
【発明を実施するための最良の形態】
【００１７】
本発明の上述の目的、構造、機能上の特性を図を備えた比較的好適な実施例にもとづいて詳細に説明する。
【００１８】
本発明は放熱フィンの放熱効果を高めた放熱機構であり、図２、３に示すように、少なくとも一つの放熱ファン２１と放熱器２２とによって構成されており、前記放熱ファン２１はファンケース２１１を有しており、ファンケース２１１内にはハブ座２１１１が設けられており、ファンケース２１１の両側にはそれぞれ入口２１１２、出口２１１３が設けられており、ハブ座２１１１上にはファン回転部２１２が枢結されており、前記ファン回転部２１２はハブ２１２１とハブ２１２１周囲から伸びる複数のファン羽根２１２２とによって構成されている。前記放熱器２２は底座２２１を有しており、底座２２１上には複数の放熱フィン２２２が設けられており、放熱フィン２２２間には流道が形成されており、前記放熱フィン２２２壁上には突出した枢結部２２４、高熱伝導材料によって構成される高熱伝導部材２３が設けられており、接続部２３１が設けられており、組立時、前記高熱伝導部材２３は接続部２３１によって放熱フィン２２２の枢結部２２４上に設置され、それぞれの流道２２３間に設置され、放熱ファン２１が放熱器２２の上方に設置される。
【００１９】
図４は本発明の好適な実施例における放熱器２２を発熱部材２４上に貼合固定した様子を示すものであり、発熱部材２４から生成される熱量は放熱器２２の底座２２１から放熱フィン２２２の頂部に伝わり、ファン回転部２１２が回転した時、ファン羽根２１２２が空気流を動かし、入口２１１２から出口２１１３の放熱器２２に向かって流動し、放熱器２２の流道２２３から外部に流出し、空気流が流道２２３を通過する時、前記気流が高熱伝導部材２３を動く状態にし、高熱伝導部材２３の作動によって、流道２３底部の比較的厚い温度境界層を破壊し、上方の冷たい空気流は大量の熱量を奪い去ることができ、熱対流を増加させ、放熱効果を高めることができる。
【００２０】
前記高熱伝導部材２３は任意の形状の高熱伝導部材によって構成されており、放熱フィン２２壁上に設けられており、放熱器２２の熱対流機能を高めることができ、放熱器の放熱効率を向上させることができる。
【００２１】
図５、６は本発明の第二の好適な実施例を示すものであり、全体の構造、機能、実施形態は前述の実施例とほぼ同様であるので同様部分の説明は省略する。異なる部分としては前記放熱器２２上の放熱フィン２２２に貫通孔３２４が設けられており、枢結軸３２５が貫通孔３２４と高熱伝導部材２３上の接続部２３１を貫通しており、高熱伝導部材２３が流道２２３間に枢設されており、気流の流道２２３内における熱対流を増加させ、放熱フィン２２２の放熱効率を高めている。
【００２２】
図７、８は本発明の第三の好適な実施例を示すものであり、全体の構造、機能、実施形態は前述の実施例とほぼ同様であるので同様部分の説明は省略する。異なる部分としては前記高熱伝導部材４３が羽根状になっており、放熱ファン２１のファン回転部２１２が回転した時、気流は流道間に枢結された高熱伝導部材４３を回転させ、放熱ファン２１の回転速度を増加させる必要なく高熱伝導部材４３が空気流を加速させ、流道２２３底部の比較的厚い温度境界層を薄くし、熱対流の効率を高め、放熱器の放熱効率を高めている。
【００２３】
上述の各比較的好適な実施例中の高熱伝導部材２３、４３はすべての流道２２３間に枢結する必要はなく、任意の流道２２３間（図９に示す）に枢設することができ、又、前記高熱伝導部材２３、４３は動力部材を備えることができ、自ら作動し（図なし）同様に熱対流効率を高め、放熱器の放熱効果を高めることができる。
【００２４】
上述の説明は本発明が提供する放熱フィンの放熱効果を高めた放熱機構であり、確実に特許要件に符号するものであり、法に基づき特許申請を行う。
【００２５】
上述の説明は本発明の比較的好適な実施例を示すものであり、本発明の上述の方法、形状、構造、装置を利用した変化は全て本発明の権利範囲に含まれる。
【図面の簡単な説明】
【００２６】
【図１】公知構造の放熱機構の断面図である。
【図２】本発明の第一実施例の分解断面図である。
【図３】本発明の第一実施例の組立後の断面図である。
【図４】本発明の第一実施例を発熱部材上に設置した様子を示す断面図である。
【図５】本発明の第二実施例の分解断面図である。
【図６】本発明の第二実施例の組立後の断面図である。
【図７】本発明の第三実施例の組立後の断面図である。
【図８】図７における別角度からの断面図である。
【図９】本発明の高熱伝導部材を流道間に枢結したその他の様子を示す断面図である。
【符号の説明】
【００２７】
１１      放熱器
１１１    底座
１１２    放熱フィン
１１３    流道
１２      放熱ファン
１２１    ファンケース
１２２    入口
１２３    出口
１２４    ファン羽根
１３      発熱部材
２１      放熱ファン
２１１    ファンケース
２１１１  ハブ座
２１１２  入口
２１１３  出口
２１２    ファン回転部
２１２１  ハブ
２１２２  ファン羽根
２２      放熱器
２２１    底座
２２２    放熱フィン
２２３    流道
２２４    枢結部
２３      高熱伝導部材
２３１    接続部
２４      発熱部材
３２４    貫通孔
３２５    枢結軸
４３      高熱伝導部材
【図１】
2006147682.tif 000003
【図２】
2006147682.tif 000004
【図３】
2006147682.tif 000005
【図４】
2006147682.tif 000006
【図５】
2006147682.tif 000007
【図６】
2006147682.tif 000008
【図７】
2006147682.tif 000009
【図８】
2006147682.tif 000010
【図９】
2006147682.tif 000011